(57)【要約】【課題】コネクタの抜去作業を容易に行うこと【解決手段】コネクタ装置１は、複数の導電端子１２と、該複数の導電端子１２を絶縁状態で保持するハウジング１１と、該ハウジング１１に設けられたロック解除部３０と、を有するリセプタクルコネクタ１０と、複数の導電端子１２と電気的に接続される複数の導電端子７２と、該複数の導電端子７２を絶縁状態で保持するハウジング７１と、該ハウジング７１に設けられ、ハウジング１１の係止部材２３に係合するロック部８０と、を有するプラグコネクタ７０と、を備え、ロック解除部３０は、ハウジング１１に対してスライド可能に取り付けられており、所定の係合位置において係止部材２３に係合しているロック部８０を押し出すようにスライドすることによって、ロック部８０を、係合位置から、ハウジング１１に係合しない非係合位置に変位させて、係止部材２３とロック部８０との係合状態を解除する。【選択図】図１０
2019021448.tif 000002
【特許請求の範囲】
【請求項１】
相手コネクタの第２コンタクトと電気的に接続される第１コンタクトと、
前記第１コンタクトを絶縁状態で保持すると共に、前記第２コンタクトを絶縁状態で保持する前記相手コネクタの第２ハウジングに設けられたロック部に係合する第１ハウジングと、
前記第１ハウジングに設けられ、該第１ハウジングと前記ロック部との係合状態を解除するロック解除部と、を備え、
前記ロック解除部は、前記第１ハウジングに対してスライド可能に取り付けられており、所定の係合位置において前記第１ハウジングに係合している前記ロック部を押し出すようにスライドすることによって、前記ロック部を、前記係合位置から、前記第１ハウジングに係合しない非係合位置に変位させる、電気コネクタ。
【請求項２】
前記ロック解除部は、
前記ロック部を前記非係合位置に変位させる際に前記ロック部に当接する当接部と、
前記ロック部が前記非係合位置に変位した状態において、前記第２ハウジングに当接すると共に、前記第２ハウジングを前記第１ハウジングから離間する方向にガイドするガイド部と、を有する、請求項１記載の電気コネクタ。
【請求項３】
前記第１ハウジングは、
前記ロック解除部のスライド方向に沿って設けられ、前記ロック解除部を挟むように互いに対向する一対の壁部と、
前記一対の壁部のそれぞれにおける互いに対向する面において、前記スライド方向に沿って形成された溝部と、を有し、
前記ロック解除部は、
前記溝部に向かって突出する突出部を更に有し、
前記溝部に前記突出部が収容された状態において前記溝部の形成領域に沿ってスライド可能とされている、請求項１又は２記載の電気コネクタ。
【請求項４】
前記第１ハウジングは、
前記一対の壁部間に設けられた係止部材を更に有し、
前記係止部材は、
前記ロック部に係合する係合領域と、前記ロック解除部に当接し前記ロック解除部の前記ロック部へ近づく方向へのスライドを規制する規制領域とを有する、請求項３記載の電気コネクタ。
【請求項５】
第１コンタクトと、該第１コンタクトを絶縁状態で保持する第１ハウジングと、該第１ハウジングに設けられたロック解除部と、を有する第１コネクタと、
前記第１コンタクトと電気的に接続される第２コンタクトと、該第２コンタクトを絶縁状態で保持する第２ハウジングと、該第２ハウジングに設けられ、前記第１ハウジングに係合するロック部と、を有する第２コネクタと、を備え、
前記ロック解除部は、前記第１ハウジングに対してスライド可能に取り付けられており、所定の係合位置において前記第１ハウジングに係合している前記ロック部を押し出すようにスライドすることによって、前記ロック部を、前記係合位置から、前記第１ハウジングに係合しない非係合位置に変位させて、前記第１ハウジングと前記ロック部との係合状態を解除する、コネクタ装置。
【請求項６】
前記ロック部は、少なくとも前記ロック解除部のスライド方向に弾性変形可能に構成されている、請求項５記載のコネクタ装置。
【発明の詳細な説明】
【技術分野】
【０００１】
本開示は、電気コネクタ及びコネクタ装置に関する。
【背景技術】
【０００２】
プラグコネクタとリセプタクルコネクタとを係合させることにより、プラグコネクタとリセプタクルコネクタとを接続する構成（コネクタ装置）が知られている。このような構成において、係合状態を解除する際には、例えば特許文献１に記載されているように、専用の冶具（係合解除冶具）が用いられる。
【先行技術文献】
【特許文献】
【０００３】
【特許文献１】特開２０１１−０６５８６１号公報
【発明の概要】
【発明が解決しようとする課題】
【０００４】
ここで、上述したようなコネクタ装置においては、係合状態を解除するたびに専用の冶具が必要となるため、係合状態を解除しコネクタを抜去する作業が煩雑となってしまう。
【０００５】
そこで、本開示は、コネクタの抜去作業を容易に行うことができる電気コネクタ及びコネクタ装置を説明する。
【課題を解決するための手段】
【０００６】
本開示の一態様に係る電気コネクタは、相手コネクタの第２コンタクトと電気的に接続される第１コンタクトと、第１コンタクトを絶縁状態で保持すると共に、第２コンタクトを絶縁状態で保持する前記相手コネクタの第２ハウジングに設けられたロック部に係合する第１ハウジングと、第１ハウジングに設けられ、該第１ハウジングとロック部との係合状態を解除するロック解除部と、を備え、ロック解除部は、第１ハウジングに対してスライド可能に取り付けられており、所定の係合位置において第１ハウジングに係合しているロック部を押し出すようにスライドすることによって、ロック部を、係合位置から、第１ハウジングに係合しない非係合位置に変位させる。
【０００７】
本開示に係る電気コネクタでは、第１ハウジングに設けられたロック解除部が第１ハウジングに沿ってスライドすることにより、第１ハウジングに係合しているロック部が係合位置から非係合位置に変位させられる。このように、第１ハウジングに設けられたロック解除部をスライドさせることによって、第１ハウジングと第２ハウジングとの係合状態を簡易に解除することができるため、係合状態を解除するために別途専用の冶具を用いる必要がない。以上のことから、本開示に係る電気コネクタによれば、抜去作業を容易に行うことができる。
【０００８】
上記電気コネクタにおいて、ロック解除部は、ロック部を非係合位置に変位させる際にロック部に当接する当接部と、ロック部が非係合位置に変位した状態において、第２ハウジングに当接すると共に、第２ハウジングを第１ハウジングから離間する方向にガイドするガイド部と、を有していてもよい。ロック解除部の当接部がロック部に当接することによってロック部を非係合位置に変位させる（例えば、押し出す）構成とすることにより、スライド動作とロック部の非係合位置への変位とを確実に対応付けることができ、簡易な構成によってロック部の変位を実現することができる。また、ロック部が非係合位置に変位した際にガイド部によって第２ハウジングが第１ハウジングから離間する方向にガイドされることにより、抜去作業における相手コネクタの排出を容易に行うことができる。
【０００９】
上記電気コネクタにおいて、第１ハウジングは、ロック解除部のスライド方向に沿って設けられ、ロック解除部を挟むように互いに対向する一対の壁部と、一対の壁部のそれぞれにおける互いに対向する面において、スライド方向に沿って形成された溝部と、を有し、ロック解除部は、溝部に向かって突出する突出部を更に有し、溝部に突出部が収容された状態において溝部の形成領域に沿ってスライド可能とされていてもよい。このように、第１ハウジングの溝部に沿ってロック解除部がスライドする構成とすることにより、ロック解除部がスライドする範囲を、第１ハウジングの溝部の形成領域に限定し、ロック解除部のスライド作業を容易に行うことができる。
【００１０】
上記電気コネクタにおいて、第１ハウジングは、一対の壁部間に設けられた係止部材を更に有し、係止部材は、ロック部に係合する係合領域と、ロック解除部に当接しロック解除部のロック部へ近づく方向へのスライドを規制する規制領域とを有していてもよい。係止部材において、係合領域でロック部に係合すると共に、規制領域でロック解除部のスライドを規制することにより、ロック解除の完了タイミングにおいて適切にスライドを終了させることができる。すなわち、ロック解除部のスライドによる抜去作業を容易化することができる。
【００１１】
本開示の一態様に係るコネクタ装置は、第１コンタクトと、該第１コンタクトを絶縁状態で保持する第１ハウジングと、該第１ハウジングに設けられたロック解除部と、を有する第１コネクタと、第１コンタクトと電気的に接続される第２コンタクトと、該第２コンタクトを絶縁状態で保持する第２ハウジングと、該第２ハウジングに設けられ、第１ハウジングに係合するロック部と、を有する第２コネクタと、を備え、ロック解除部は、第１ハウジングに対してスライド可能に取り付けられており、所定の係合位置において第１ハウジングに係合しているロック部を押し出すようにスライドすることによって、ロック部を、係合位置から、第１ハウジングに係合しない非係合位置に変位させて、第１ハウジングとロック部との係合状態を解除する。
【００１２】
上記コネクタ装置において、ロック部は、少なくともロック解除部のスライド方向に弾性変形可能に構成されていてもよい。これにより、ロック部を容易に非係合位置に変位させることができる。
【発明の効果】
【００１３】
本開示によれば、コネクタの抜去作業を容易に行うことができる電気コネクタ及びコネクタ装置を提供することができる。
【図面の簡単な説明】
【００１４】
【図１】図１は、本実施形態に係るコネクタ装置の斜視図である。
【図２】図２は、コネクタ装置に含まれるリセプタクルコネクタを示す図であり、（ａ）は斜視図、（ｂ）は平面図、（ｃ）は正面図、（ｄ）は底面図である。
【図３】図３は、リセプタクルコネクタのハウジング単体を示す図であり、（ａ）は斜視図、（ｂ）は平面図、（ｃ）は（ｂ）におけるｃ−ｃ線に沿った断面図である。
【図４】図４は、ロック解除部を示す図であり、（ａ）は上部側からの斜視図、（ｂ）は下部側からの斜視図である。
【図５】図５は、コネクタ装置に含まれるプラグコネクタを示す図であり、（ａ）は斜視図、（ｂ）は平面図、（ｃ）は正面図、（ｄ）は底面図である。
【図６】図６は、プラグコネクタのハウジング単体を示す図であり、（ａ）は上部側からの斜視図、（ｂ）は下部側からの斜視図、（ｃ）は平面図である。
【図７】図７は、ロック部を示す図であり、（ａ）は上部側からの斜視図、（ｂ）は下部側からの斜視図である。
【図８】図８は、篏合状態のコネクタ装置を示す図であり、（ａ）は平面図、（ｂ）は（ａ）におけるｂ−ｂ線に沿った断面図、（ｃ）は（ａ）におけるｃ−ｃ線に沿った拡大断面図である。
【図９】図９は、篏合工程及び篏合解除工程を示す図であり、（ａ）は篏合前状態、（ｂ）は篏合途中状態、（ｃ）は篏合途中状態、（ｄ）は篏合状態、（ｅ）は篏合解除状態、を示す断面図である。
【図１０】図１０は、図９における篏合箇所の一部拡大図であり、（ａ）は図９（ａ）、（ｂ）は図９（ｂ）、（ｃ）は図９（ｃ）、（ｄ）は図９（ｄ）、（ｅ）は図９（ｅ）の一部拡大図である。
【発明を実施するための形態】
【００１５】
以下、本開示に係る実施形態について図面を参照しつつ詳細に説明する。説明において、同一要素又は同一機能を有する要素には同一の符号を付し、重複する説明を省略する。なお、以下に説明される本開示に係る実施形態は本発明を説明するための例示であるので、本発明は以下の内容に限定されるべきではない。
【００１６】
（コネクタ装置の概要）
図１を参照して、コネクタ装置１の概要について説明する。図１に示すように、コネクタ装置１は、配線基板５０に電気的に接続されるリセプタクルコネクタ１０（電気コネクタ，第１コネクタ）と、複数のケーブル９０に電気的に接続されるプラグコネクタ７０（相手コネクタ，第２コネクタ）とを備える。なお、図１においては、説明の便宜上、配線基板５０及びケーブル９０の一部のみを示している。コネクタ装置１において、リセプタクルコネクタ１０とプラグコネクタ７０とが篏合することにより、配線基板５０とケーブル９０とが電気的に接続される。このように、コネクタ装置１は、配線基板とケーブルとを電気的に接続するための電気コネクタである。
【００１７】
配線基板５０は、電子回路を搭載する各種の基板であり、例えばプリント配線基板又はＦＰＣ（Flexible Printed Circuits）等である。配線基板５０は、半田接続等によりリセプタクルコネクタ１０を実装している。配線基板５０は、その信号導体（不図示）が、リセプタクルコネクタ１０の導電端子１２に電気的に接続されている。
【００１８】
ケーブル９０は、電気信号を伝送する各種のケーブルであり、例えば細線同軸ケーブル等である。ケーブル９０は、図８（ｃ）に示すように、中心導体９１と、該中心導体９１を覆う絶縁体９２と、該絶縁体を覆う外側導体９３と、該外側導体を覆う絶縁性の外皮９４と、を含んで構成されている。ケーブル９０は、先端から順に、中心導体９１が露出した部分、絶縁体９２が露出した部分、及び外側導体９３が露出した部分を有している。中心導体９１は、プラグコネクタ７０の導電端子７２に電気的に接続されており、半田接続等によって該導電端子７２に接続されている。外側導体９３は、該外側導体９３の露出部分の一部を覆うグランドバー１０１に接触しており、該グランドバー１０１を介して、プラグコネクタ７０のカバー部７３（金属製のカバー）に電気的に接続されている。
【００１９】
以下の説明においては、リセプタクルコネクタ１０及びプラグコネクタ７０の嵌合方向を「Ｚ方向」、Ｚ方向に交差する方向である、リセプタクルコネクタ１０及びプラグコネクタ７０の長手方向を「Ｙ方向」、Ｚ方向及びＹ方向に交差する方向である、リセプタクルコネクタ１０及びプラグコネクタ７０の幅方向を「Ｘ方向」として説明する場合がある。また、Ｚ方向におけるリセプタクルコネクタ１０及びプラグコネクタ７０を基準とした配線基板５０側を「下」、その反対側を「上」として説明する場合がある。
【００２０】
（リセプタクルコネクタ及びロック解除部）
次に、図２〜図４を主に参照して、リセプタクルコネクタ１０、及び、リセプタクルコネクタ１０に取り付けられたロック解除部３０について説明する。リセプタクルコネクタ１０は、図２（ａ）〜図２（ｄ）に示すように、ハウジング１１（第１ハウジング）と、複数の導電端子１２（第１コンタクト）とを有する。
【００２１】
ハウジング１１は、樹脂を含んだ絶縁材料で構成されている。ハウジング１１は、複数の導電端子１２を絶縁状態で保持すると共に、複数の導電端子７２を絶縁状態で保持するプラグコネクタ７０のハウジング７１（図８（ｃ）参照）に設けられたロック部８０（図５（ａ）参照）に係合する（詳細は後述）。ハウジング１１は、図３（ａ）〜図３（ｃ）に示すように、所定方向に延びる略直方体形状を呈している。ハウジング１１は、底壁部１３と、側壁部１４〜１７と、中央壁部１８とを有する。
【００２２】
底壁部１３は、略矩形状を呈する板状体である。底壁部１３は、図３（ｂ）に示すように、Ｙ方向両端部のＸ方向中央部に貫通孔１３ａを有する。貫通孔１３ａは、図１０（ａ）〜図１０（ｅ）に示すように、ロック解除部３０（図２（ａ）参照）、及び、プラグコネクタ７０に取り付けられるロック部８０（図５（ａ）参照）が収容される領域である。
【００２３】
側壁部１４〜１７は、図３（ａ），（ｂ）に示すように、それぞれが底壁部１３から立設するように底壁部１３上に設けられている。側壁部１４，１５は、それぞれが底壁部１３の各長辺近傍に位置し、当該長辺に沿ってＹ方向に延びている。側壁部１６，１７は、それぞれが底壁部１３の各短辺近傍に位置し当該短辺に沿ってＸ方向に延びている。そのため、側壁部１４，１５同士はＸ方向において互いに対向しており、側壁部１６，１７同士はＹ方向において互いに対向している。
【００２４】
側壁部１４は、図３（ａ）に示すように、複数の導電端子１２（図２（ａ）参照）を配置するための複数の切欠き部１４ａを有している。切欠き部１４ａは、導電端子１２に一対一で対応するように複数形成されている。各切欠き部１４ａは、Ｚ方向において側壁部１４の上端から中間位置付近まで形成されている。各切欠き部１４ａの幅（Ｙ方向の長さ）は、導電端子１２の幅に略一致している。側壁部１５は、図３（ａ）に示すように、高さ（Ｚ方向の長さ）が、側壁部１４の略半分程度とされている。これにより、側壁部１５の上方空間１５ａから、プラグコネクタ７０（図５（ａ）参照）を挿入し易くなっている。
【００２５】
側壁部１６，１７は、一対の壁部２１，２２と、係止部材２３と、を有している。なお、以下の説明では、Ｙ方向において、側壁部１６，１７を基準として、リセプタクルコネクタ１０及びプラグコネクタ７０の中心（中央）へ向かう側を「前」、当該中心から側壁部１６，１７へ向かう側（リセプタクルコネクタ１０及びプラグコネクタ７０の端部側）を「後」として説明する場合がある。
【００２６】
一対の壁部２１，２２は、Ｘ方向で互いに対向すると共に、それぞれＹ方向に延びている。壁部２１は、側壁部１４に連続するようにＹ方向に延びている。壁部２２は、側壁部１５に連続するようにＹ方向に延びている。壁部２１，２２間の空間には、ロック解除部３０（図２（ｂ）参照）が配置され、該ロック解除部３０が壁部２１，２２の延在方向であるＹ方向に沿ってスライドする。言い換えると、一対の壁部２１，２２は、ロック解除部３０のスライド方向に沿って設けられ、該ロック解除部３０を挟むように互いに対向している。壁部２１，２２のそれぞれにおける互いに対向する対向面２１ａ，２２ａには、ロック解除部３０のスライド方向であるＹ方向に沿って溝部２４が形成されている。溝部２４は、スライドするロック解除部３０の突出部３１ｂ（図４(ａ）参照）を収容する領域である。溝部２４は、図３（ｃ）に示すように、対向面２１ａ，２２ａにおける下端部に形成されている。また、溝部２４は、Ｙ方向において、対向面２１ａ，２２ａの後端から中央近傍まで形成されている。
【００２７】
係止部材２３は、一対の壁部２１，２２間に架設されている。より詳細には、係止部材２３は、図３（ｃ）に示すように、壁部２１，２２におけるＺ方向中間位置であって、且つ、壁部２１，２２におけるＹ方向前端から中央近傍の位置に設けられている。このように、係止部材２３は、溝部２４の形成領域よりも、上方且つ前方の位置に設けられている。係止部材２３の上方、下方、及び後方の領域は、スライドするロック解除部３０が配置される領域である（図１０（ａ）参照）。係止部材２３は、略直方体形状を呈している。係止部材２３の下面２３ａは、後述するロック部８０に係合する係合領域である（図１０（ｄ）参照）。係止部材２３の後方側面２３ｄは、溝部２４に沿ってスライドするロック解除部３０に当接し、ロック解除部３０のロック部８０へ近づく方向へのスライドを規制する規制領域である（図１０（ｅ）参照）。なお、図１０（ｅ）においては、後方側面２３ｄとロック解除部３０とが当接していない状態を示しているが、ロック解除部３０をロック部８０へ近づく方向へと更にスライドさせることにより、後方側面２３ｄとロック解除部３０とが当接し、ロック解除部３０のロック部８０へ近づく方向へのスライドが規制されることとなる。また、係止部材２３は、完全な直方体形状ではなく、上面２３ｂにおける前方側面側に凹部２３ｅが形成されている（図３（ｃ）及ぶ図１０（ａ）参照）。
【００２８】
中央壁部１８は、底壁部１３から立設するように底壁部１３上に設けられている。中央壁部１８は、側壁部１４〜１７から離間した状態で、側壁部１４〜１７に囲まれる空間内に位置している。中央壁部１８は、側壁部１４，１５間において、側壁部１４，１５に沿って（側壁部１４，１５の延在方向であるＹ方向に）延びている。そのため、中央壁部１８は、側壁部１４，１５のそれぞれと対向している。中央壁部１８は、図３（ａ）に示すように、複数の導電端子１２を配置するための複数の切欠き部１８ａを有している。切欠き部１８ａは、側壁部１４の切欠き部１４ａとＸ方向において対向して形成されている。各切欠き部１８ａは、Ｚ方向において中央壁部１８の上端から下端付近まで形成されており、Ｘ方向において中央壁部１８における側壁部１４と対向する側の略半分にのみ形成されている（図８（ｃ）参照）。各切欠き部１８ａの幅（Ｙ方向の長さ）は、導電端子１２の幅に略一致している。
【００２９】
複数の導電端子１２（本実施形態では１６個の導電端子１２）は、プラグコネクタ７０の導電端子７２（第２コンタクト）と電気的に接続される（図８（ｃ）参照）。複数の導電端子１２は、図２（ａ）及び図８（ｃ）に示すように、上述した切欠き部１４ａ及び切欠き部１８ａの形成領域に設けられており、側壁部１４、底壁部１３、及び中央壁部１８に沿って設けられている。導電端子１２は、板状の導電材料（例えば金属部材）によって構成されている。導電端子１２は、基端部１２ａと、中間部１２ｂと、接触部１２ｃとを有する（図８（ｃ）参照）。
【００３０】
基端部１２ａは、底壁部１３の近傍に位置しており、側壁部１４から外方に向けてＸ方向に延びている。基端部１２ａは、リセプタクルコネクタ１０が配線基板５０に実装される際に、配線基板５０の信号導体（不図示）と半田等によって接続される。中間部１２ｂは、基端部１２ａ及び接触部１２ｃ間を連結する部分である。図８（ｃ）に示すように、中間部１２ｂは、基端部１２ａに連続すると共に、切欠き部１４ａが形成された領域において、側壁部１４の外面に沿って上方に延び、側壁部１４の上端で折り返すようにして側壁部１４の内面に沿って下方に延びている。更に、中間部１２ｂは、底壁部１３に沿って側壁部１４の内面から中央壁部１８の近傍まで伸びている。接触部１２ｃは、プラグコネクタ７０の接触部７２ｃと接触する部分である。接触部１２ｃは、中間部１２ｂに連続すると共に、切欠き部１８ａが形成された領域において中央壁部１８に沿って上方に延びている。接触部１２ｃの上端部分は、Ｘ方向における側壁部１４側に突出しており、該突出した部分がプラグコネクタ７０の接触部７２ｃとの接点１２ｄとなる。
【００３１】
ロック解除部３０は、図２（ａ）〜図２（ｄ）に示すように、ハウジング１１に設けられ、該ハウジング１１とロック部８０（図５（ａ）参照）との係合状態を解除する（図１０（ｅ）参照）。ロック解除部３０は、ハウジング１１に対してスライド可能に取り付けられており、所定の係合位置においてハウジング１１に係合しているロック部８０を押し出すようにスライドすることによって、ロック部８０を係合位置（図１０（ｄ）参照）から非係合位置（図１０（ｅ）参照）に変位させる。係合位置とは、図１０（ｄ）に示すように、ロック部８０が係止部材２３に係合する位置である。非係合位置とは、図１０（ｅ）に示すように、リセプタクルコネクタ１０及びプラグコネクタ７０が嵌合した状態で、ロック部８０が係止部材２３に係合しない位置である。
【００３２】
ロック解除部３０は、図２（ｂ）に示すように、ハウジング１１におけるＹ方向両端部である側壁部１６，１７の一対の壁部２１，２２間に配置される。ロック解除部３０の幅（Ｘ方向の長さ）は、一対の壁部２１，２２の間隔（Ｘ方向の長さ）に略一致している。ロック解除部３０は、図４（ａ）及び図４（ｂ）に示すように、当接部３１と、位置決め部３２と、ガイド部３３とを有する。なお、以下の説明では、ハウジング１１に取り付けられた状態のロック解除部３０を基準として、Ｙ方向において、リセプタクルコネクタ１０及びプラグコネクタ７０の中心（中央）へ向かう側を「前」、当該中心からロック解除部３０へ向かう側（リセプタクルコネクタ１０及びプラグコネクタ７０の端部側）を「後」として説明する場合がある。
【００３３】
当接部３１は、略矩形状を呈する板状体である。当接部３１は、ハウジング１１に取り付けられた状態において係止部材２３の下方領域に位置し、その前端面である当接面３１ａにおいてロック部８０に当接することにより、ロック部８０を非係合位置に変位させる（図１０（ｄ）及び図１０（ｅ）参照）。当接部３１の両側面（Ｘ方向で対向する側面）には、ハウジング１１に取り付けられた状態において一対の壁部２１，２２のそれぞれに向かって突出する突出部３１ｂが設けられている（図４（ａ）及び図４（ｂ）参照）。突出部３１ｂは、当接部３１の両側面（Ｘ方向で対向する側面）におけるＹ方向の略中央部に設けられている。突出部３１ｂは、壁部２１，２２の対向面２１ａ，２２ａに形成された溝部２４（図３（ａ）参照）に収容される。ロック解除部３０は、溝部２４に突出部３１ｂが収容された状態において、溝部２４の形成領域に沿ってＹ方向にスライド可能とされている。ロック解除部３０がＹ方向にスライドすることにより、上述した当接部３１の当接面３１ａがロック部８０に当接し、ロック部８０を係合位置から非係合位置に変位させることができる（図１０（ｄ）及び図１０（ｅ）参照）。
【００３４】
位置決め部３２は、当接部３１の上面に設けられた直方体形状の部分である。より詳細には、位置決め部３２は、当接部３１の上面のうち後側略半分の領域に設けられている。当接部３１の上方領域のうち位置決め部３２が設けられていない領域は、係止部材２３が収容される収容空間３４である。位置決め部３２は、その前方側面３２ａが係止部材２３の後方側面２３ｄに当接することにより、ロック解除部３０のスライドを規制し、ロック解除部３０の位置決めを行う（図１０（ｅ）参照）。
【００３５】
ガイド部３３は、ロック部８０が非係合位置に変位した状態において、プラグコネクタ７０のハウジング７１に当接すると共に、ハウジング７１をハウジング１１から離間する方向にガイドする部分である（図１０（ｅ）参照）。ガイド部３３は、位置決め部３２の上面に設けられている。ガイド部３３におけるプラグコネクタ７０に対向する面（前方の面）は、上方に向かうにつれて後方に傾斜した傾斜面３３ａとされている。当該傾斜面３３ａが設けられていることにより、ロック部８０が非係合位置に変位して非篏合状態となったプラグコネクタ７０を、ハウジング１１から離間させ易くなっている（図１０（ｅ）参照。詳細は後述）。
【００３６】
（プラグコネクタ及びロック部）
次に、図５〜図７を主に参照して、プラグコネクタ７０、及び、プラグコネクタ７０に取り付けられたロック部８０について説明する。プラグコネクタ７０は、図５（ａ）〜図５（ｄ）に示すように、ハウジング７１（第２ハウジング）と、複数の導電端子７２（第２コンタクト）と、カバー部７３とを有する。
【００３７】
ハウジング７１は、樹脂を含んだ絶縁材料で構成されている。ハウジング７１は、複数の導電端子７２（図５（ｄ）参照）を絶縁状態で保持する。ハウジング７１は、図６（ａ）〜図６（ｃ）に示すように、ケーブル載置部７４と、側壁部７５と、保持部７６，７７とを有する。
【００３８】
ケーブル載置部７４は、略矩形状を呈する板状体であり、導電端子７２に接続されるケーブル９０を載置する部分である。ケーブル載置部７４の上面は、Ｙ方向に沿って凹形状と凸形状（Ｚ方向の凹形状と凸形状）が連続する形状とされており、当該凹形状は、導電端子７２を配置する端子配置領域７４ａである。端子配置領域７４ａは、図８（ｃ）に示すように、Ｘ方向に沿って、接続領域７４ｂと、該接続領域７４ｂよりも凹形状が浅い端子領域７４ｃとを有する。接続領域７４ｂは、ケーブル９０の中心導体９１と導電端子７２とを半田接続等によって接続するための領域である。端子領域７４ｃは、導電端子７２をガイドするための領域である。
【００３９】
側壁部７５は、ケーブル載置部７４の長辺近傍に位置し、当該長辺に沿ってＹ方向に延びている。側壁部７５は、Ｚ方向中間位置よりも上端よりの位置において、ケーブル載置部７４に当接している。図６（ｂ）に示すように、側壁部７５の内面７５ａ（ケーブル載置部７４と対向する面）は、Ｙ方向に沿って凹形所と凸形状（Ｘ方向の凹形状と凸形状）が連続する形状とされており、当該凹形状は、導電端子７２を下方にガイドするガイド領域７５ｂである（図６（ｂ）参照）。ガイド領域７５ｂは、上述したケーブル載置部７４の端子領域７４ｃに連続している。これにより、各導電端子７２は、接続領域７４ｂ、端子領域７４ｃ、及びガイド領域７５ｂを経て導電端子１２と接触する（図８（ｃ）参照）。
【００４０】
保持部７６，７７は、ケーブル載置部７４の短辺近傍（すなわち、ハウジング７１のＹ方向両端部）に設けられている。保持部７６，７７は、ケーブル載置部７４の短辺に沿って設けられた第１部分７８ａと、該第１部分７８ａに連続して設けられ、Ｚ方向の長さが第１部分７８ａよりも短い第２部分７８ｂと、該第２部分７８ｂに連続して設けられ、Ｚ方向の長さが第２部分７８ｂよりも短い第３部分７８ｃとを有する。第２部分７８ｂには、Ｚ方向に貫通した貫通領域７８ｄが形成されている。
【００４１】
貫通領域７８ｄは、ロック部８０が挿入される領域である（図１０（ａ）参照）。図１０（ａ）に示すように、貫通領域７８ｄは、下方に向かうにつれてその領域（貫通した領域）がＹ方向に広くなるように形成されている。より詳細には、貫通領域７８ｄは、下方向に向かうにつれて、その領域が第１部分７８ａへ向かう方向に広くなるように形成されている。このような貫通領域７８ｄが形成されていることにより、貫通領域７８ｄに挿入されたロック部８０が、係止部材２３との係合時において係止部材２３を乗り越えるように、第１部分７８ａへ向けて弾性変位可能となる（図１０（ｃ）参照）。このことにより、ロック部８０と係止部材２３との係合作業が容易になる。なお、第１部分７８ａのＺ方向の長さが第２部分７８ｂよりも長いため、第１部分７８ａへ向かう方向に変位したロック部８０は、所定の変位量を超えた際には第１部分７８ａに当接し、それ以上変位することができない。これにより、ロック部８０が第１部分７８ａ方向に過度に変位し塑性変形することが防止されている。
【００４２】
第３部分７８ｃは、図１０（ｅ）に示すように、ロック部８０が非係合位置に変位した状態において、リセプタクルコネクタ１０のガイド部３３に当接する部分である。第３部分７８ｃにおけるガイド部３３に当接する面は、下方に向かうにつれて第２部分７８ｂへと近づく方向に傾斜した傾斜面７８ｅとされている。これにより、ロック部８０が非係合位置に変位した状態において、ガイド部３３の傾斜面３３ａと第３部分７８ｃの傾斜面７８ｅとの傾斜方向を一致させることができ、プラグコネクタ７０をハウジング１１から離間させ易くなっている（図１０（ｅ）参照）。詳細は後述）。
【００４３】
複数の導電端子７２（本実施形態では１６個の導電端子）は、リセプタクルコネクタ１０の導電端子１２（第１コンタクト）と電気的に接続される（図８（ｃ）参照）。複数の導電端子７２は、図６（ａ）及び図６（ｂ）に示す、端子配置領域７４ａ及びガイド領域７５ｂに沿って設けられている。すなわち、導電端子７２は、端子配置領域７４ａに沿ってＸ方向に延び、ガイド領域７５ｂに沿って下方向に延びている。導電端子７２は、板状の導電材料（例えば金属部材）によって構成されている。導電端子７２は、接続部７２ａと、中間部７２ｂと、接触部７２ｃとを有する（図８（ｃ）参照）。
【００４４】
接続部７２ａは、端子配置領域７４ａの接続領域７４ｂに沿ってＸ方向に延びた部分であり、ケーブル９０の中心導体９１と半田接続等によって接続される部分である。中間部７２ｂは、接続部７２ａに連続すると共に、端子配置領域７４ａの端子領域７４ｃに沿ってＸ方向に延びた部分である。接触部７２ｃは、リセプタクルコネクタ１０の接触部１２ｃと接触する部分である。接触部７２ｃは、中間部７２ｂに連続すると共に、ガイド領域７５ｂに沿ってＺ方向（下方向）に延びている。
【００４５】
カバー部７３は、金属を含んで構成され、電界がコネクタの外部へ出るのを防ぐためのカバーである。カバー部７３は、ケーブル載置部７４の上方を覆うように配置されている（図５（ａ）参照）。
【００４６】
ロック部８０は、図５（ａ）に示すように、ハウジング７１に設けられ、ハウジング１１の係止部材２３に係合する（図１０（ｄ）参照）。ロック部８０は、保持部７６，７７の第２部分７８ｂの貫通領域７８ｄに挿入されることにより、保持部７６，７７に固定されている（図１０（ａ）参照）。ロック部８０は、例えば一枚の平板を折り曲げ加工することにより形成されている。ロック部８０は、弾性変形可能な部材により構成されている。ロック部８０は、図７（ａ）及び図７（ｂ）に示すように、延伸部８１と、突出部８２、係合部８３と、を有する。
【００４７】
延伸部８１は、Ｚ方向に延びた部分である。突出部８２は、延伸部８１の下端に連続しており、Ｙ方向に突出した部分である。より詳細には、突出部８２は、係止部材２３へ向かう方向に突出した部分である。係合部８３は、突出部８２の先端に連続しており、上方に延びた部分である。係合部８３の上端は、係止部材２３の下面２３ａに係合する係合面８３ａである。
【００４８】
（リセプタクルコネクタ及びプラグコネクタの嵌合状態）
次に、図８を参照して、コネクタ装置１を構成するリセプタクルコネクタ１０及びプラグコネクタ７０の篏合状態について説明する。
【００４９】
リセプタクルコネクタ１０及びプラグコネクタ７０が篏合した状態においては、図８（ｂ）に示すように、プラグコネクタ７０に取り付けられたロック部８０が係合位置において、リセプタクルコネクタ１０のハウジング１１に係合している。より詳細には、ロック部８０の係合部８３が係止部材２３に係合している。係合位置においてロック部８０及び係止部材２３が互いに係合することにより、コネクタ装置１を構成するリセプタクルコネクタ１０とプラグコネクタ７０とが篏合状態となっている。
【００５０】
また、リセプタクルコネクタ１０及びプラグコネクタ７０が篏合した状態においては、図８（ｃ）に示すように、プラグコネクタ７０の接触部７２ｃが、リセプタクルコネクタ１０の接触部１２ｃと接触している。これにより、プラグコネクタ７０の導電端子７２とリセプタクルコネクタ１０の導電端子１２とが電気的に接続されている。そして、導電端子７２の接続部７２ａがケーブル９０の中心導体９１に接続されており、また、導電端子１２の基端部１２ａが配線基板５０（図１参照）の信号導体（不図示）に接続されていることから、導電端子７２及び導電端子１２を介して、ケーブル９０の中心導体９１と配線基板５０の信号導体（不図示）とが電気的に接続されることとなる。
【００５１】
（篏合工程及び篏合解除工程）
次に、図９及び図１０を参照して、コネクタ装置１を構成するリセプタクルコネクタ１０及びプラグコネクタ７０の篏合工程及び篏合解除工程について説明する。図９（ａ）〜図９（ｅ）は、時系列に沿って、篏合前〜篏合途中〜篏合〜篏合解除の各状態を示した図であり、図９（ａ）は篏合前状態を、図９（ｂ）及び図９（ｃ）は篏合途中状態を、図９（ｄ）は篏合状態を、図９（ｅ）は篏合解除状態を、それぞれ示している。また、図１０（ａ）〜図１０（ｅ）は、それぞれが図９（ａ）〜図９（ｅ）の一部拡大図である。
【００５２】
篏合工程が開始される際には、図９（ａ）及び図１０（ａ）に示すように、分離状態（篏合前）において、プラグコネクタ７０とリセプタクルコネクタ１０とをＺ方向で対向配置する。具体的には、配線基板５０（図１参照）に配置されたリセプタクルコネクタ１０の側壁部１５の上方空間１５ａ（図２（ａ）参照）を入口として、Ｘ方向にプラグコネクタ７０を移動させて、プラグコネクタ７０とリセプタクルコネクタ１０とを対向配置する。
【００５３】
プラグコネクタ７０とリセプタクルコネクタ１０とを対向配置した状態から、図９（ｂ）及び図１０（ｂ）に示すように、プラグコネクタ７０をリセプタクルコネクタ１０に近づけるように下方に移動させると、ロック部８０が係止部材２３に当接する。ここで、係止部材２３の上面側には凹部２３ｅが形成されており（図１０（ａ）参照）、ロック部８０は当該凹部２３ｅに到達することとなる。当該凹部２３ｅが形成されていることによって、凹部２３ｅが形成されていない場合と比較して、ロック部８０を容易に下方まで移動させ易くなっている。
【００５４】
そして、プラグコネクタ７０を更に下方に移動させると、図９（ｃ）及び図１０（ｃ）に示すように、ロック部８０が係止部材２３を乗り越えるように第１部分７８ａに向かう方向（前方）へ変位する。このことは、ロック部８０が弾性変形可能であること、及び、貫通領域７８ｄにおいて下方に向かうにつれてその領域が第１部分７８ａに向かって広くなっていること（図１０（ａ）参照）により実現されている。
【００５５】
係止部材２３を乗り越えたロック部８０は、自身の弾性により元のストレート状の形状に復元しようとするため、図９（ｄ）及び図１０（ｄ）に示すように、ロック解除部３０の当接面３１ａに接触してロック解除部３０を後方に移動させながら、元の形状に戻る。この状態においては、ロック部８０が既に係止部材２３を乗り越え、係合部８３が係止部材２３の下面２３ａよりも下方に位置している（係合位置に位置している）ため、ロック部８０の係合部８３が係止部材２３に係合する。当該図９（ｄ）及び図１０（ｄ）に示す状態が篏合状態である。
【００５６】
篏合を解除させる場合には、例えば人手によりロック解除部３０を前方（ロック部８０に近づく方向）に押し出すことにより、図９（ｅ）及び図１０（ｅ）に示すように、ロック解除部３０が前方にスライドする。これにより、ロック解除部３０の当接部３１の当接面３１ａがロック部８０に当接し、ロック部８０を係合位置から非係合位置に変位させる。この場合にも、ロック部８０は、第１部分７８ａに向かって変位する。ロック部８０が非係合位置に変位することにより、係合部８３と係止部材２３との係合状態が解除され、プラグコネクタ７０とリセプタクルコネクタ１０とが分離可能な状態になる。また、ロック部８０が非係合位置に変位した状態においては、プラグコネクタ７０の第３部分７８ｃの傾斜面７８ｅがガイド部３３の傾斜面３３ａに当接する。これらの傾斜面３３ａ，７８ｅは、互いに傾斜方向が同一とされている。ロック解除部３０を前方にスライドさせることによって、傾斜面３３ａに沿って、プラグコネクタ７０をリセプタクルコネクタ１０から離間する方向に変位させることができる。このように、ロック解除部３０をスライドさせることによってプラグコネクタ７０を容易に抜去（分離）することができる。
【００５７】
（作用効果）
次に、上述したコネクタ装置１の作用効果について説明する。
【００５８】
本実施形態に係るコネクタ装置１は、複数の導電端子１２と、該複数の導電端子１２を絶縁状態で保持するハウジング１１と、該ハウジング１１に設けられたロック解除部３０と、を有するリセプタクルコネクタ１０と、複数の導電端子１２と電気的に接続される複数の導電端子７２と、該複数の導電端子７２を絶縁状態で保持するハウジング７１と、該ハウジング７１に設けられ、ハウジング１１の係止部材２３に係合するロック部８０と、を有するプラグコネクタ７０と、を備え、ロック解除部３０は、ハウジング１１に対してスライド可能に取り付けられており、所定の係合位置において係止部材２３に係合しているロック部８０を押し出すようにスライドすることによって、ロック部８０を、係合位置から、ハウジング１１に係合しない非係合位置に変位させて、係止部材２３とロック部８０との係合状態を解除する。
【００５９】
このようなコネクタ装置１では、ハウジング１１に設けられたロック解除部３０がハウジング１１に沿ってスライドすることにより、ハウジング１１の係止部材２３に係合しているロック部８０が係合位置から非係合位置に変位させられる（図１０（ｄ）及び図１０（ｅ）参照）。このように、ハウジング１１に設けられたロック解除部３０をスライドさせることによって、ハウジング１１とハウジング７１との係合状態を簡易に解除することができるため、係合状態を解除するために別途専用の冶具を用いる必要がない。以上のことから、コネクタ装置１によれば、抜去作業を容易に行うことができる。
【００６０】
また、ロック解除部３０は、ロック部８０を非係合位置に変位させる際にロック部８０に当接する当接部３１と、ロック部８０が非係合位置に変位した状態において、ハウジング７１に当接すると共に、ハウジング７１をハウジング１１から離間する方向にガイドするガイド部３３と、を有する。ロック解除部３０の当接部３１がロック部８０に当接することによってロック部８０を非係合位置に変位させる（押し出す）構成とすることにより、スライド動作とロック部８０の非係合位置への変位とを確実に対応付けることができ、簡易な構成によってロック部８０の変位を実現することができる。また、ロック部８０が非係合位置に変位した際にガイド部３３によってハウジング７１がハウジング１１から離間する方向にガイドされることにより、抜去作業におけるプラグコネクタ７０の排出を容易に行うことができる。すなわち、図１０（ｅ）に示すように、ロック部８０が非係合位置に変位した状態において、ガイド部３３の傾斜面３３ａと第３部分７８ｃの傾斜面７８ｅとが同じ傾斜角度で互いに接した状態となっているところ、ロック解除部３０を前方（ロック部８０方向）にスライドさせると、傾斜面３３ａにガイドされたプラグコネクタ７０は、リセプタクルコネクタ１０から離間する方向（上方）に移動することとなる。これにより、ロック解除部３０をスライドさせるというワンオペレーションによって、ロック部８０を非係合位置に移動させる（係合状態を解除する）だけでなく、プラグコネクタ７０を抜去（分離）することができる。このように、ワンオペレーションにより抜去作業までが行えるため、例えばロック解除を忘れたまま抜去作業を行いコネクタを破損する、といった事象の発生を抑制することもできる。
【００６１】
また、ハウジング１１は、ロック解除部３０のスライド方向に沿って設けられ、ロック解除部３０を挟むように互いに対向する一対の壁部２１，２２と、一対の壁部２１，２２のそれぞれにおける互いに対向する面である対向面２１ａ，２２ａにおいて、スライド方向に沿って形成された溝部２４と、を有し、ロック解除部３０は、一対の壁部２１，２２のそれぞれに向かって突出する突出部３１ｂ（図４（ａ）参照）を更に有し、溝部２４に突出部３１ｂが収容された状態において溝部２４の形成領域に沿ってスライド可能とされている。このように、ハウジング１１の溝部２４に沿ってロック解除部３０がスライドする構成とすることにより、ロック解除部３０がスライドする範囲を、ハウジング１１の溝部２４の形成領域に限定し、ロック解除部３０のスライド作業を容易に行うことができる。
【００６２】
ハウジング１１は、一対の壁部２１，２２間に設けられた係止部材２３を有し、係止部材２３は、ロック部８０に係合する係合領域である下面２３ａと、ロック解除部３０に当接しロック解除部３０のロック部８０へ近づく方向へのスライドを規制する規制領域である後方側面２３ｄとを有する。係止部材２３において、下面２３ａでロック部８０に係合すると共に、後方側面２３ｄでロック解除部３０のスライドを規制することにより、ロック解除の完了タイミングにおいて適切にスライドを終了させることができる。すなわち、ロック解除部３０のスライドによる抜去作業を容易化することができる。
【００６３】
ロック部８０は、少なくともロック解除部３０のスライド方向に弾性変形可能に構成されている。これにより、ロック解除部３０のスライド（押圧）によって、ロック部８０を容易に非係合位置に変位させることができる。
【００６４】
以上、本開示に係る実施形態について説明したが、本発明の要旨の範囲内で種々の変形を上記の実施形態に加えてもよい。例えば、コネクタ装置１が、配線基板とケーブルとを電気的に接続するための電気コネクタであるとして説明したがこれに限定されず、コネクタ装置が、配線基板同士を互いに電気的に接続する、いわゆる基板対基板接続用のための電気コネクタであってもよい。
【符号の説明】
【００６５】
１…コネクタ装置、１０…リセプタクルコネクタ（第１コネクタ，電気コネクタ）、１１…ハウジング（第１ハウジング）、１２…導電端子（第１コンタクト）、２１，２２…壁部、２３…係止部材、２３ａ…下面（係合領域）、２３ｄ…後方側面（規制領域）、２４…溝部、３０…ロック解除部、３１…当接部、３１ｂ…突出部、３３…ガイド部、７０…プラグコネクタ（第２コネクタ）、７１…ハウジング（第２ハウジング）、７２…導電端子（第２コンタクト）、８０…ロック部。
【図１】
2019021448.tif 000003
【図２】
2019021448.tif 000004
【図３】
2019021448.tif 000005
【図４】
2019021448.tif 000006
【図５】
2019021448.tif 000007
【図６】
2019021448.tif 000008
【図７】
2019021448.tif 000009
【図８】
2019021448.tif 000010
【図９】
2019021448.tif 000011
【図１０】
2019021448.tif 000012